(57)【要約】【課題】環境温度に適応し自動的に湿度目標値を調整することにより、人体にとって最も適切な湿度を達成できる適温式除湿装置を提供する。【解決手段】本発明の適温式除湿装置は、空調環境に設置された適温式除湿装置であって、空調環境の温度を検出することにより環境温度情報を認識する温度検出部と、空調環境の湿度を検出することにより環境湿度情報を認識する湿度検出部と、除湿部とを有し、除湿部には予め設定した温度及び湿度に関連する温湿度の参照関係を有し、且つ環境湿度情報に対応する温湿度の参照関係により湿度参照レンジが認識され、湿度参照レンジと環境湿度情報を対比させ、環境湿度情報が湿度参照レンジから外れている場合には、空調環境に除湿処理を実行することを特徴とする。【選択図】図２
2018036038.tif 000002
【特許請求の範囲】
【請求項１】
空調環境に設置された適温式除湿装置であって、
前記空調環境の温度を検出することにより環境温度情報を認識する温度検出部と、
前記空調環境の湿度を検出することにより環境湿度情報を認識する湿度検出部と、
前記空調環境に連接することにより前記空調環境の気流の水気を吸着する吸湿ホイールと、
前記吸湿ホイールに熱接続されて前記吸湿ホイールに吸着した水気を加熱蒸発することにより前記吸湿ホイールに吸着した水気を除去する加熱器と、
前記加熱器に前記温度検出部と、前記湿度検出部を電気的に接続する制御部材と、を含み、
前記制御部材が予め設定した温度及び湿度に関連する温湿度の参照関係により前記環境湿度情報に対応する湿度参照レンジが認識され、前記湿度参照レンジと前記環境湿度情報を対比させ、前記環境湿度情報が前記湿度参照レンジから外れている場合、前記空調環境に除湿処理を実行する除湿部と、を含むことを特徴とする適温式除湿装置。
【請求項２】
前記空調環境の温度が１５．５℃〜２４℃である際に、
前記温湿度の参照関係数式がＹ≦（−２０／８．５）Ｘ＋（１６４０／１７）±５であって、
前記Ｘが空調環境の温度（℃）に代表し、前記Ｙが空調環境の湿度（％）に代表され、
前記制御部材が前記環境温度情報を前記空調環境の温度Ｘとして温湿度の参照関係に代入し、前記環境湿度情報を前記空調環境の湿度Ｙとして温湿度の参照関係に代入し、前記環境湿度情報が前記湿度参照レンジから外れている場合、前記除湿部により前記空調環境に除湿処理を実行することを特徴とする請求項１に記載の適温式除湿装置。
【請求項３】
前記制御部材が判断して、前記環境湿度情報が前記湿度参照レンジから外れていない場合には前記除湿処理しないことを特徴とする請求項２に記載の適温式除湿装置。
【請求項４】
前記温湿度の参照関係により前記空調環境の温度が２４℃を上回っている際に、前記湿度参照レンジが４０％に下回り、且つ前記制御部材が判断して、前記環境湿度情報が前記湿度参照レンジから外れている場合には、前記除湿部により前記空調環境に除湿処理を実行することを特徴とする請求項１に記載の適温式除湿装置。
【請求項５】
前記温湿度の参照関係により前記空調環境の温度が１５．５℃を下回っている際に、前記湿度参照レンジが６０％に上回り、且つ前記制御部材が判断して、前記環境湿度情報が前記湿度参照レンジから外れている場合には、前記除湿部により前記空調環境に除湿処理を実行することを特徴とする請求項１に記載の適温式除湿装置。
【請求項６】
前記制御部材が判断して、前記環境湿度情報が前記湿度参照レンジから外れていない場合に前記除湿処理しないことを特徴とする請求項４又は請求項５に記載の適温式除湿装置。
【請求項７】
前記制御部材を設置することにより前記加熱器が加熱する際に前記吸湿ホイールを回転させることを特徴とする請求項１に記載の適温式除湿装置。
【請求項８】
前記加熱器が前記吸湿ホイールに対応する排風面の位置に設置することを特徴とする請求項１に記載の適温式除湿装置。
【請求項９】
前記吸湿ホイールの入風面の一端に設置することにより前記吸湿ホイール及び前記空調環境の間に位置し、前記吸湿ホイール及び前記空調環境の間に位置することにより前記空調環境からの気流を前記吸湿ホイールに流動させる濾過部と、前記濾過部と前記吸湿ホイールの間に設置することにより前記空調環境からの気流が前記濾過部に通過した風速を検出する風速検出部と、をさらに含むことを特徴とする請求項１に記載の適温式除湿装置。
【請求項１０】
凝水部をさらに含み、前記凝水部と前記加熱器が相互対面するように前記吸湿ホイールの両側に設置されることにより前記加熱器に加熱蒸発した水蒸気を前記吸湿ホイールに通過させて凝水入口から前記凝水部に流入すると共に前記凝水部に水に凝結させることを特徴とする請求項１に記載の適温式除湿装置。
【請求項１１】
前記凝水部が気流冷却通路を形成し、前記気流冷却通路が前記吸湿ホイールと前記空調環境の間に設置した入風口と連通することを特徴とする請求項１０に記載の適温式除湿装置。
【請求項１２】
前記凝水部が、前記吸湿ホイールに連接され、蒸気ガイド通路を画設する蒸気ガイドカバーと、熱交換部材と、排水ユニットと、をさらに含み、前記蒸気ガイド通路の上側位置が前記熱交換部材に連接することにより前記加熱器に加熱蒸発した水蒸気を前記熱交換部材に導引し、前記蒸気ガイド通路の下側位置が前記排水ユニットに連通することにより前記蒸気ガイドカバーに凝結した水を排出することを特徴とする請求項１０に記載の適温式除湿装置。
【請求項１３】
前記凝水部が前記熱交換部材の下側に連接する気水分流部材を有し、前記気水分流部材が排水口と、風廻流口を含み、前記風廻流口の水平の高さが前記排水口の水平の高さより高いことを特徴とする請求項１０に記載の適温式除湿装置。
【請求項１４】
前記凝水部の排水端に連接する水タンクをさらに含むことを特徴とする請求項１０又は請求項１２又は請求項１３に記載の適温式除湿装置。
【請求項１５】
前記気水分流部材が、前記風廻流口に連通すると共に前記加熱器に連接する廻流通路ユニットと、前記廻流通路ユニットに設置することにより気流を前記風廻流口から前記加熱器に吸引する廻風ファンと、をさらに含むことを特徴とする請求項１３に記載の適温式除湿装置。
【請求項１６】
二つの電極部材と、判断ユニットと、を含む水位検出部をさらに含み、前記二つの電極部材が前記水タンクに設置され、前記それぞれの電極部材が誘電率検出面を有し、前記一方の電極部材の誘電率検出面が前記他方の電極部材の誘電率検出面に対面するように位置し、前記二つの誘電率検出面の間に水位測定空間を有し、前記判断ユニットが前記二つの電極部材に接続されて前記水位測定空間に検出する誘電率の変化により前記水タンクの水量を判断することを特徴とする請求項１４に記載の適温式除湿装置。
【請求項１７】
前記判断ユニットに電気的に接続され、前記水タンクの水量が予め設定した水量値に達した際に前記水タンクの水を吸引して排出する水吸引ポンプをさらに含むことを特徴とする請求項１６に記載の適温式除湿装置。
【発明の詳細な説明】
【技術分野】
【０００１】
本発明は除湿機に関し、特に、温度に応じて湿度目標レンジを調整する適温式除湿装置に関する。
【背景技術】
【０００２】
気温が高ければ高いほど、飽和湿度(saturated humidity)は高くなる。医学的には空気の湿度と呼吸は密接な繋がりがある。相対湿度が４０〜６０％の際に、酸素が肺胞を通って、血液に入り易く、最も快適に感じる。環境中の気温と湿度が高い時、体温を調節する発汗作用に影響し、蒸し暑く感じさせ、不快にさせる。その為、人は通常除湿機を使用することにより湿度の問題を改善してきた。
【発明の概要】
【発明が解決しようとする課題】
【０００３】
従来の除湿機は、予め設定した湿度目標値により環境を除湿し、環境の相対湿度が予め設定した湿度目標値に達した際に除湿を停止させる。しかしながら、従来の除湿機では、予め設定した湿度目標値が一定の数値である故、現時点の環境温度により自動的に調整できないため、従来の除湿機の使用上では人体にとって最も適切な湿度を達成することは難しい。
【０００４】
このため、本発明は環境温度に適応し自動的に湿度目標値を調整することにより、人体にとって最も適切な湿度を達成できる適温式除湿装置を提供することを目的とする。
【課題を解決するための手段】
【０００５】
本発明は、従来技術の問題を解決する為に空調環境に設置された適温式除湿装置であって、前記空調環境の温度を検出することにより環境温度情報を認識する温度検出部と、前記空調環境の湿度を検出することにより環境湿度情報を認識する湿度検出部と、前記空調環境に連接することにより前記空調環境の気流の水気を吸着する吸湿ホイールと、前記吸湿ホイールに熱接続されて前記吸湿ホイールに吸着した水気を加熱蒸発することにより前記吸湿ホイールに吸着した水気を除去する加熱器と、前記加熱器に前記温度検出部と、前記湿度検出部を電気的に接続する制御部材とを含み、前記制御部材が予め設定した温度及び湿度に関連する温湿度の参照関係により前記環境湿度情報に対応する湿度参照レンジが認識され、前記湿度参照レンジと前記環境湿度情報を対比させ、前記環境湿度情報が前記湿度参照レンジから外れている場合には、前記空調環境に除湿処理を実行する除湿部と、を含むことを特徴とする適温式除湿装置を提供する。
【０００６】
本発明の一態様として、前記空調環境の温度が１５．５℃〜２４℃である際に、前記温湿度の参照関係数式がＹ≦（−２０／８．５）Ｘ＋（１６４０／１７）±５であって、前記Ｘが空調環境の温度（℃）に代表し、前記Ｙが空調環境の湿度（％）に代表され、前記制御部材が前記環境温度情報を前記空調環境の温度Ｘとして温湿度の参照関係に代入し、前記環境湿度情報を前記空調環境の湿度Ｙとして温湿度の参照関係に代入し、前記環境湿度情報が前記湿度参照レンジから外れている場合には、前記除湿部により前記空調環境に除湿処理を実行することが好ましい。
【０００７】
本発明の一態様として、前記制御部材が判断して、前記環境湿度情報が前記湿度参照レンジから外れていない場合には前記除湿処理しないことが好ましい。
【０００８】
本発明の一態様として、前記温湿度の参照関係により前記空調環境の温度が２４℃を上回っている際に、前記湿度参照レンジが４０％に下回り、且つ前記制御部材が判断して、前記環境湿度情報が前記湿度参照レンジから外れている場合には、前記除湿部により前記空調環境に除湿処理を実行することが好ましい。
【０００９】
本発明の一態様として、前記温湿度の参照関係により前記空調環境の温度が１５．５℃を下回っている際に、前記湿度参照レンジが６０％に上回り、且つ前記制御部材が判断して、前記環境湿度情報が前記湿度参照レンジから外れている場合には、前記除湿部により前記空調環境に除湿処理を実行することが好ましい。
【００１０】
本発明の一態様として、前記制御部材が判断して、前記環境湿度情報が前記湿度参照レンジから外れていない場合には前記除湿処理しないことが好ましい。
【００１１】
本発明の一態様として、前記制御部材を設置することにより前記加熱器が加熱する際に前記吸湿ホイールを回転させることが好ましい。
【００１２】
本発明の一態様として、前記加熱器が前記吸湿ホイールに対応する排風面の位置に設置されることが好ましい。
【００１３】
本発明の一態様として、前記吸湿ホイールの入風面の一端に設置されることにより前記吸湿ホイール及び前記空調環境の間に位置し、前記吸湿ホイール及び前記空調環境の間に位置することにより前記空調環境からの気流を前記吸湿ホイールに流動させる濾過部と、前記濾過部と前記吸湿ホイールの間に設置されることにより前記空調環境からの気流が前記濾過部に通過した風速を検出する風速検出部と、をさらに含むことが好ましい。
【００１４】
本発明の一態様として、凝水部をさらに含み、前記凝水部と前記加熱器が相互対面するように前記吸湿ホイールの両側に設置されることにより前記加熱器に加熱蒸発した水蒸気を前記吸湿ホイールに通過させて凝水入口から前記凝水部に流入すると共に前記凝水部に水に凝結させることが好ましい。
【００１５】
本発明の一態様として、前記凝水部が気流冷却通路を形成し、前記気流冷却通路が前記吸湿ホイールと前記空調環境の間に設置した入風口と連通することが好ましい。
【００１６】
本発明の一態様として、前記凝水部が、前記吸湿ホイールに連接され、蒸気ガイド通路を画設する蒸気ガイドカバーと、熱交換部材と、排水ユニットと、をさらに含み、前記蒸気ガイド通路の上側位置が前記熱交換部材に連接することにより前記加熱器に加熱蒸発した水蒸気を前記熱交換部材に導引し、前記蒸気ガイド通路の下側位置が前記排水ユニットに連通することにより前記蒸気ガイドカバーに凝結した水を排出することが好ましい。
【００１７】
本発明の一態様として、前記凝水部が前記熱交換部材の下側に連接する気水分流部材を有し、前記気水分流部材が排水口と、風廻流口を含み、前記風廻流口の水平の高さが前記排水口の水平の高さより高いことが好ましい。
【００１８】
本発明の一態様として、前記凝水部の排水端に連接する水タンクをさらに含むことが好ましい。
【００１９】
本発明の一態様として、前記気水分流部材が、前記風廻流口に連通すると共に前記加熱器に連接する廻流通路ユニットと、前記廻流通路ユニットに設置することにより気流を前記風廻流口から前記加熱器に吸引する廻風ファンと、をさらに含むことが好ましい。
【００２０】
本発明の一態様として、二つの電極部材と、判断ユニットと、を含む水位検出部をさらに含み、前記二つの電極部材が前記水タンクに設置され、前記それぞれの電極部材が誘電率検出面を有し、前記一方の電極部材の誘電率検出面が前記他方の電極部材の誘電率検出面に対面する形で位置し、前記二つの誘電率検出面の間に水位測定空間を有し、前記判断ユニットが前記二つの電極部材に接続されて前記水位測定空間に検出する誘電率の変化により前記水タンクの水量を判断することが好ましい。
【００２１】
本発明の一態様として、前記判断ユニットに電気的に接続され、前記水タンクの水量が予め設定した水量値に達した際に前記水タンクの水を吸引して排出する水吸引ポンプをさらに含むことが好ましい。
【発明の効果】
【００２２】
本発明に係る適温式除湿装置は以下の効果を有する。本発明に係る適温式除湿装置の制御部材は特定の温度に身体に対して最も快適な相対湿度値により温度及び湿度に関連する温湿度の参照関係が予め設定され、検出した空調環境の温度を温湿度の参照関係に対応させることにより湿度参照レンジが認識され、検出した空調環境の湿度が湿度参照レンジより高い時に除湿を実行されることにより、人体にとって最も適切な湿度を達成させる。
【００２３】
さらに、従来の濾過部が一般に肉眼で濾過部の汚れの状況を観察して交換タイミングを判断することに鑑みて、濾過部の汚れの状況の認定が人によって異なるため、交換タイミングの判断基準が欠如されている。本発明に係る適温式除湿装置は風速検出部を設置し、これにより濾過部に通過した風速を検出することで濾過部の汚れの状況を量化して、交換タイミングを判断しやすくする。
【００２４】
従来の水位検出器が水タンクに枢設する浮力部材、前記浮力部材の上表面に設置する磁性部材を含み、水タンクの中の水位が一定の高さに到達する際に、前記浮力部材を枢動させて下部を浮かび上がることによって磁性部材の位置を変更する。しかしながら、従来の水位検出器の浮力部材が水位の高低差に応じて枢動せずに水位検出失敗のリスクがあるため、本発明に係る適温式除湿装置に採用する水位検出部では、前記二つの電極部材の間の誘電率を検出することにより、水タンクの中の水位を判断し、水位検出失敗のリスクを回避することができる。
【図面の簡単な説明】
【００２５】
【図１】本発明の実施形態に係る適温式除湿装置を示す立体概略図である。
【図２】本発明の実施形態に係る適温式除湿装置を示すブロック概略図である。
【図３】本発明の実施形態に係る適温式除湿装置が温湿度の参照関係に示す図である。
【図４】本発明の実施形態に係る適温式除湿装置を示す断面概略図の一である。
【図５】本発明の実施形態に係る適温式除湿装置を示す断面概略図の二である。
【図６】本発明の実施形態に係る適温式除湿装置を示す上視概略図である。
【図７】本発明の実施形態に係る適温式除湿装置を示す断面概略図の三である。
【図８】本発明の実施形態に係る適温式除湿装置の凝水部を示す立体概略図である。
【図９】本発明の実施形態に係る適温式除湿装置を示す断面概略図の四である。
【図１０】本発明の他の実施形態に係る適温式除湿装置を示す立体概略図である。
【発明を実施するための形態】
【００２６】
以下は図１から図１０に基いて、本発明の実施形態について説明する。該当説明は本発明の実施形態の一つの例示にすぎず、本発明の実施形態を限定するものではない。
【００２７】
図１〜図３に示すように、本発明の実施形態に係る適温式除湿装置１００が空調環境（未図示）に設置されている。例えば、前記空調環境が寝室、浴室、リビングルーム、オフィス又は他の環境である。適温式除湿装置１００は温度検出部１と、湿度検出部２と、除湿部３を含む。
【００２８】
温度検出部１が空調環境の温度を検出することにより環境温度情報Ｓ１を認識する。湿度検出部２が空調環境の湿度を検出することにより環境湿度情報Ｓ２を認識する。除湿部３が吸湿ホイール３１と加熱器３２と制御部材３３を含む。吸湿ホイール３１が空調環境に連接することにより前記空調環境の気流の水気を吸着する。加熱器３２が吸湿ホイール３１に熱接続されて吸湿ホイール３１に吸着した水気を加熱蒸発することにより吸湿ホイール３１に吸着した水気を除去する。制御部材３３が加熱器３２に温度検出部１と湿度検出部２を電気的に接続する。制御部材３３が予め設定した温度及び湿度に関連する温湿度の参照関係（図３に示すように）により環境湿度情報に対応する湿度参照レンジが認識され、湿度参照レンジと環境湿度情報を対比させて環境湿度情報が湿度参照レンジから外れている場合には、除湿部３により空調環境に除湿処理を実行する。より良好な吸湿効果を達成するには前記吸湿ホイール３１に複数の微細孔が設けられることが好ましい。例えば、前記吸湿ホイール３１を沸石、シリカゲル（Silica Gel）、活性アルミナ（Activated Alumina）、活性炭（Activated Carbons）など吸湿材料から製作されるものである。具体的に申すと、除湿部３がモーター３４をさらに含み、モーター３４が制御部材３３に電気的に接続されており、モーター３４は加熱器３２が加熱する際に吸湿ホイール３１を回転させる。好ましくは、除湿部３が加熱温度検出ユニット（未図示）を含み、加熱温度検出ユニットが加熱器３２に電気的に接続することにより加熱器３２の加熱温度を検出し、加熱器３２の加熱温度が標準値を上回る際に、加熱器３２の運転を中止させる。選択的に、除湿部３がヒューズ（未図示）を含み、ヒューズは加熱器３２に電気的に接続し、加熱器３２の加熱温度が標準値を上回る際に、加熱器３２の加熱温度が高すぎないように回路を遮断させる。本発明が加熱温度検出ユニット及びヒューズにより、二重のセキュリティーを提供し、加熱器３２の加熱温度が高すぎることに起因とする事故を回避することが可能となる。
【００２９】
図３に示すように、本発明の実施形態に係る適温式除湿装置１００は、空調環境の温度が１５．５℃〜２４℃である際に、温湿度の参照関係数式がＹ≦（−２０／８．５）Ｘ＋（１６４０／１７）±５であって、前記Ｘが空調環境の温度（℃）に代表し、前記Ｙが空調環境の湿度（％）に代表され、制御部材３３が環境温度情報を空調環境の温度Ｘとして温湿度の参照関係に代入し、環境湿度情報を空調環境の湿度Ｙとして温湿度の参照関係に代入し、環境湿度情報が湿度参照レンジから外れている場合には、除湿部３により空調環境に除湿処理を実行する。空調環境の温度が１５．５℃〜２４℃であって、且つ環境湿度情報が湿度参照レンジから外れている際には、例えば、空調環境の温度が２１℃であって、且つ湿度が６０％である際に、制御部材３３が温湿度の参照関係により湿度参照レンジが０％〜４７％であることを認識し、加熱器３２を稼働させて吸湿ホイール３１に加熱することにより吸湿ホイール３１に吸着した水気を水蒸気に蒸発させ、空調環境から吸湿ホイール３１に流動する気流が吸湿ホイール３１に吸湿することによって、吸湿した気流を空調環境に排出しながら除湿処理を実行することが可能となる。
【００３０】
図３に示すように、本発明の実施形態に係る適温式除湿装置１００は、温湿度の参照関係により空調環境の温度が２４℃を上回っている際に、湿度参照レンジが４０％に下回り、且つ制御部材３３が判断して、環境湿度情報が湿度参照レンジから外れている場合には、除湿部３により空調環境に除湿処理を実行する。空調環境の温度が２４℃を上回っていて、且つ環境湿度情報が湿度参照レンジから外れている際には、例えば、空調環境の温度が２４．５℃であって、且つ湿度が６０％である際に、制御部材３３が温湿度の参照関係により湿度参照レンジが０％〜４０％であることを認識し、加熱器３２を稼働させて吸湿ホイール３１に加熱することにより吸湿ホイール３１に吸着した水気を水蒸気に蒸発させ、空調環境から吸湿ホイール３１に流動する気流が吸湿ホイール３１に吸湿することによって、吸湿した気流を空調環境に排出しながら除湿処理を実行することが可能となる。
【００３１】
図３に示すように、本発明の実施形態に係る適温式除湿装置１００は、温湿度の参照関係により空調環境の温度が１５．５℃を下回っている際に、湿度参照レンジが６０％に上回り、且つ制御部材３３が判断して、環境湿度情報が湿度参照レンジから外れている場合には、除湿部３により空調環境に除湿処理を実行する。空調環境の温度が１５．５℃を下回っていて、且つ環境湿度情報が湿度参照レンジから外れている際には、例えば、空調環境の温度が１５℃であって、且つ湿度が７０％である際に、制御部材３３が温湿度の参照関係により湿度参照レンジが０％〜６０％であることを認識し、加熱器３２を稼働させて吸湿ホイール３１に加熱することにより吸湿ホイール３１に吸着した水気を水蒸気に蒸発させ、空調環境から吸湿ホイール３１に流動する気流が吸湿ホイール３１に吸湿することによって、吸湿した気流を空調環境に排出しながら除湿処理を実行することが可能となる。
【００３２】
図３に示すように、本発明の実施形態に係る適温式除湿装置１００は、制御部材３３が判断して、環境湿度情報が湿度参照レンジに当たっている場合に除湿処理しない。例えば、空調環境の温度が２１℃であって、且つ湿度が４５％である際に、制御部材３３が温湿度の参照関係により湿度参照レンジが０％〜４７％であることを認識し、環境湿度情報が湿度参照レンジから外れていないことが判断され、それと同時に、モーター３４を稼働させずに吸湿ホイール３１の回転を中止させ、且つ加熱器３２を稼働させずに吸湿ホイール３１を加熱しない。
【００３３】
図３に示すように、制御部材３３が判断して、環境湿度情報が湿度参照レンジから外れていない場合には除湿処理しない。例えば、空調環境の温度が２４．５℃であって、且つ湿度が３５％である際に、制御部材３３が温湿度の参照関係により湿度参照レンジが０％〜４０％であることを認識し、環境湿度情報が湿度参照レンジから外れていないことが判断され、それと同時に、モーター３４を稼働させずに吸湿ホイール３１の回転を中止させ、且つ加熱器３２を稼働させずに吸湿ホイール３１を加熱しない。空調環境の温度が１５℃であって、且つ湿度が５５％である際に、制御部材３３が温湿度の参照関係により湿度参照レンジが０％〜６０％であることを認識し、環境湿度情報が湿度参照レンジから外れていないことが判断され、それと同時に、モーター３４を稼働させずに吸湿ホイール３１の回転を中止させ、且つ加熱器３２を稼働させずに吸湿ホイール３１を加熱しない。
【００３４】
図１、図２及び図４に示すように、具体的に申すと、適温式除湿装置１００がケース４及び吸気ファン５を含む。温度検出部１、湿度検出部２、除湿部３及び吸気ファン５がケース４内に設けられている。ケース４が入風口４１及び排風口４２を有し、入風口４１と吸湿ホイール３１の間に吸気ファン５が設置されることによって、空調環境の気流を入風口４１から排風口４２に吸引することができる。
【００３５】
図２、図４及び図５に示すように、好ましくは、適温式除湿装置１００が、濾過部６及び風速検出部７をさらに含む。濾過部６を吸湿ホイール３１の入風面３１１の一端に設置することにより吸湿ホイール３１及び空調環境の間に位置し、吸湿ホイール３１及び空調環境の間に位置することにより空調環境からの気流を吸湿ホイール３１に流動することができる。本実施形態では、濾過部６が入風口４１に設置されることにより花粉、粉塵及びダニ等の空気汚染源を濾過することができる。具体的には、濾過部６は微粒子フィルタである。濾過部６と反対する空調環境の一方に風速検出部７が設置されることにより空調環境からの気流が濾過部６に通過した後の風速を検出することができる。本実施形態では、風速検出部７が掃除交換通知ユニット（未図示）をさらに含む。掃除交換通知ユニットでは予め設定した最低風速警報値により、濾過部６に通過した気流が最低風速警報値を下回っている際に、アラームで濾過部６の交換タイミングを通知することができる。
【００３６】
図２、図６〜図８に示すように、適温式除湿装置１００が、凝水部８をさらに含む。凝水部８と加熱器３２が相互対面するように吸湿ホイール３１の両側に設置されている。即ち、凝水部８が吸湿ホイール３１の入風面３１１に対面する位置に設置され、且つ加熱器３２が吸湿ホイール３１の排風面３１２に対面する位置に設置されている。これにより加熱器３２に加熱蒸発した水蒸気を吸湿ホイール３１に通過させて凝水部８に流入すると共に凝水部８に水に凝結させる。
【００３７】
図２、図６〜図８に示すように、本発明の実施形態に係る適温式除湿装置１００は、凝水部８が、蒸気ガイドカバー８１、熱交換部材８２、排水ユニット８３を含む。蒸気ガイドカバー８１が蒸気ガイド通路８１１を画設すると共に吸湿ホイール３１の入風面３１１に連接され、且つ加熱器３２と相対位置に位置されることによって、加熱器３２に加熱蒸発した水蒸気を吸湿ホイール３１に通過させて蒸気ガイドカバー８１に流入する。蒸気ガイド通路の上側位置８１２が熱交換部材８２に連接することにより加熱器３２に加熱蒸発した水蒸気を熱交換部材８２に導引し、蒸気ガイド通路の下側位置８１３が排水ユニット８３に連通することにより蒸気ガイドカバー８１に凝結した水を排出する。具体的には、熱交換部材８２が複数の中空板８２１を有し、各中空板８２１の一端が蒸気ガイドカバー８１に連接し、加熱器３２に加熱蒸発した水蒸気を中空板８２１に流入することにより中空板８２１に凝結する。
【００３８】
図２、図６〜図９に示すように、本発明の実施形態に係る適温式除湿装置１００は、凝水部８が熱交換部材８２の下側に連接する気水分流部材８４を含む。気水分流部材８４が排水口８４１と風廻流口８４２を含み、風廻流口８４２の水平の高さが排水口８４１の水平の高さより高い。気水分流部材８４がさらに廻流通路ユニット８４３と廻風ファン８４４を含む。廻流通路ユニット８４３が風廻流口８４２に連通すると共に加熱器３２に連接され、廻風ファン８４４が廻流通路ユニット８４３に設置することにより気流を風廻流口８４２から加熱器３２に吸引させる。
【００３９】
図８に示すように、凝水部８の熱交換部材８２が気流冷却通路８５を形成し、気流冷却通路８５が吸湿ホイール３１と空調環境の間に設置した入風口４１と排風口４２の間に連通され、空調環境からケース４に流入した気流を気流冷却通路８５に通過することにより熱交換部材８２内の水蒸気を水の凝結に助力された後に、排風口４２から空調環境に回流される。
【００４０】
図２、図６〜図８に示すように、本発明の実施形態に係る適温式除湿装置１００が、さらに水タンク９を含む。水タンク９が凝水部８の排水端に連接することにより凝水部８で凝結した水を収集するために用いる。具体的には、凝水部８の排水端が排水ユニット８３、排水口８４１及び廻流通路ユニット８４３を含む。
【００４１】
図２、図７に示すように、本発明の実施形態に係る適温式除湿装置１００が、さらに水位検出部１０を含むことが好ましい。水位検出部１０が二つの電極部材１０１、判断ユニット１０２を含み、二つの電極部材１０１が水タンク９に設置され、それぞれの電極部材１０１が誘電率検出面１０３を有し、一方の電極部材１０１の誘電率検出面１０３が他方の電極部材１０１の誘電率検出面１０３に対面し、二つの誘電率検出面１０３の間に水位測定空間Ｓを有し、判断ユニット１０２が二つの電極部材１０１に接続されて水位測定空間Ｓに検出した誘電率の変化により水タンク９の水量を判断する。
【００４２】
図２に示すように、本発明の実施形態に係る適温式除湿装置１００が、さらに水吸引ポンプ１１を含む。水吸引ポンプ１１が判断ユニット１０２に電気的に接続され、水タンク９の水量が予め設定した水量値に達した際に排水パイプＴにより水タンク９の水を吸引して排出する。
【００４３】
選択的に、本発明の実施形態に係る適温式除湿装置１００が、さらに運転状態通知部（未図示）を含む。運転状態通知部が検出ユニット、発送ユニット、通知ユニットを含み、検出ユニットがモーター３４、吸気ファン５、廻風ファン８４４および/または水吸引ポンプ１１に電気的に接続することによりモーター３４、吸気ファン５、廻風ファン８４４および/または水吸引ポンプ１１の運転状態を検出すると共に運転状態検出信号を産生する。発送ユニットが検出ユニット及び通知ユニットに電気的に接続され、且つ発送ユニットが検出ユニットから産生した運転状態検出信号を受信し、且つ運転状態検出信号により通知ユニットから通知情報を送信する。注意すべくは、通知ユニットが遠隔操作器に設置されて発送ユニットとインターネット接続されることにより、運転状態検出信号を無線受信することができる。ちなみに、本発明の属する技術の分野における通常の知識を有する者が従来の各方式で本発明の適温式除湿装置を遠隔操作器にペアリングすることができるため、適温式除湿装置に除湿機能または他の機能を制御可能になる。
【００４４】
本実施形態では、入風口４１及び排風口４２がケース４の同側に位置され、且つケース４がガイドシート４３をさらに含み、吸湿ホイール３１及び熱交換部材８２に通過した気流がガイドシート４３により排風口４２に導引される。
【００４５】
他の実施例において、適温式除湿装置１００aが適温式除湿装置１００と大体同じであり、その同じの部分の説明を省略する。違いとしては、ケース４aの入風口４１a及び排風口４２aがケース４aの異側に位置される。もちろん、本発明はこれに限定されない。本発明の属する技術の分野における通常の知識を有する者が本発明により本発明のケースの入風口及び排風口の位置を修正することで異なる設置方法に合わせることができる。
【００４６】
当該分野の技術を熟知するものが理解できるように、本発明の好適な実施形態を前述の通り開示したが、これらは決して本発明を限定するものではない。本発明の主旨と領域を逸脱しない範囲内で各種の調節や修正を加えることができる。従って、本発明の特許請求の範囲は、このような変更や修正を含めて広く解釈されるべきである。
【符号の説明】
【００４７】
１００、１００a  適温式除湿装置
１  温度検出部
２  湿度検出部
３  除湿部
３１  吸湿ホイール
３１１  入風面
３１２  排風面
３２  加熱器
３３  制御部材
３４  モーター
４、４a  ケース
４１、４１a  入風口
４２、４２a  排風口
４３  ガイドシート
５  吸気ファン
６  濾過部
７  風速検出部
８  凝水部
８１  蒸気ガイドカバー
８１１  蒸気ガイド通路
８１２  上側位置
８１３  下側位置
８２  熱交換部材
８２１  中空板
８３  排水ユニット
８４  気水分流部材
８４１  排水口
８４２  風廻流口
８４３  廻流通路ユニット
８４４  廻風ファン
８５  気流冷却通路
９  水タンク
１０  水位検出部
１０１  電極部材
１０２  判断ユニット
１０３  誘電率検出面
１１  水吸引ポンプ
Ｓ  水位測定空間
Ｓ１  環境温度情報
Ｓ２  環境湿度情報
Ｔ  排水パイプ
【図１】
2018036038.tif 000003
【図２】
2018036038.tif 000004
【図３】
2018036038.tif 000005
【図４】
2018036038.tif 000006
【図５】
2018036038.tif 000007
【図６】
2018036038.tif 000008
【図７】
2018036038.tif 000009
【図８】
2018036038.tif 000010
【図９】
2018036038.tif 000011
【図１０】
2018036038.tif 000012